(57)【要約】【課題】  軽量であり、かつ色収差等の収差が良好に補正された光学系を得ること。【解決手段】  物体側より像側へ順に配置された、正の屈折力を有する第１レンズ群Ｂ１、フォーカシングに際して移動し、正または負の屈折力を有する第２レンズ群Ｂ２、正または負の屈折力を有する第３レンズ群Ｂ３から構成され、フォーカシングに際して隣り合うレンズ群の間隔が変化する光学系において、光学系の全系の焦点距離ｆ、第１レンズ群Ｂ１の最も物体側のレンズ面から像面までの光軸上の距離ＬＤ、第１レンズ群Ｂ１に含まれる正レンズの材料、第１レンズ群Ｂ１に含まれる正レンズの配置を適切に設定する。【選択図】  図１
2018018101.tif 000002
【特許請求の範囲】
【請求項１】
物体側から像側へ順に配置された、正の屈折力の第１レンズ群、正または負の屈折力の第２レンズ群、正または負の屈折力の第３レンズ群から構成され、フォーカシングに際して前記第２レンズ群が移動し、隣り合うレンズ群の間隔が変化する光学系であって、
前記第１レンズ群は、最も物体側に配置された正レンズＧ１ｐと、該正レンズＧ１ｐよりも像側に配置された正レンズＧ２ｐと、該正レンズＧ２ｐよりも像側に配置された正レンズＧ３ｐと、少なくとも１つの負レンズと、を含み、
前記光学系の焦点距離をｆ、前記第１レンズ群の最も物体側のレンズ面から像面までの光軸上の距離をＬＤ、前記正レンズＧ１ｐと該正レンズＧ１ｐの像側に隣接して配置されたレンズとの光軸上の距離をＤ１２、前記正レンズＧ２ｐの材料のアッベ数をνｄＧ２ｐ、前記正レンズＧ３ｐの材料のアッベ数をνｄＧ３ｐ、前記１レンズ群に含まれる負レンズの中で最も物体側に配置された負レンズＧ１ｎのアッベ数をνｄＧ１ｎとしたとき、
ＬＤ／ｆ＜１．０
０．１７０＜Ｄ１２／ＬＤ＜０．５００
νｄＧ２ｐ＞７３．０
νｄＧ３ｐ＞７３．０
２０．０＜νｄＧ１ｎ＜４０．０
なる条件式を満足することを特徴とする光学系。
【請求項２】
前記正レンズＧ１ｐの焦点距離をｆＧ１ｐ、前記負レンズＧ１ｎの焦点距離をｆＧ１ｎとしたとき、
１．８０＜｜ｆＧ１ｐ／ｆＧ１ｎ｜＜１０．００
なる条件式を満足することを特徴とする請求項１に記載の光学系。
【請求項３】
前記正レンズＧ２ｐの材料の部分分散比をθｇＦ＿Ｇ２ｐとしたとき、
０．０２０＜θｇＦ＿Ｇ２ｐ−（０．６４３８−０．００１６８２×νｄＧ２ｐ）＜０．１００
なる条件式を満足することを特徴とする請求項１または２に記載の光学系。
【請求項４】
前記正レンズＧ３ｐの材料の部分分散比をθｇＦ＿Ｇ３ｐとしたとき、
０．０２０＜θｇＦ＿Ｇ３ｐ−（０．６４３８−０．００１６８２×νｄＧ３ｐ）＜０．１００
なる条件式を満足することを特徴とする請求項１乃至３のいずれか１項に記載の光学系。
【請求項５】
前記正レンズＧ２ｐの物体側のレンズ面から像面までの光軸上の距離をＬＧ２ｐとしたとき、
ＬＧ２ｐ／（ＬＤ−Ｄ１２）＞０．８０
なる条件式を満足することを特徴とする請求項１乃至４のいずれか１項に記載の光学系。
【請求項６】
前記正レンズＧ３ｐの物体側のレンズ面から像面までの光軸上の距離をＬＧ３ｐとしたとき、
ＬＧ３ｐ／（ＬＤ−Ｄ１２）＞０．７０
なる条件式を満足することを特徴とする請求項１乃至５のいずれか１項に記載の光学系。
【請求項７】
前記正レンズＧ１ｐの材料の比重をρＧ１ｐとしたとき、
ρＧ１ｐ＜３．０［ｇ／ｃｍ３］
なる条件式を満足することを特徴とする請求項１乃至６のいずれか１項に記載の光学系。
【請求項８】
前記第２レンズ群は、正レンズと負レンズを有することを特徴とする請求項１乃至７のいずれか１項に記載の光学系。
【請求項９】
前記第２レンズ群は、２枚以下のレンズで構成されていることを特徴とする請求項１乃至８のいずれか１項に記載の光学系。
【請求項１０】
前記正レンズＧ１ｐの焦点距離をｆＧ１ｐ、前記正レンズＧ２ｐの焦点距離をｆＧ２ｐとしたとき、
１．５０＜ｆＧ１ｐ／ｆＧ２ｐ＜５．００
なる条件式を満足することを特徴とする請求項１乃至９のいずれか１項に記載の光学系。
【請求項１１】
前記正レンズＧ１ｐの焦点距離をｆＧ１ｐ、前記正レンズＧ３ｐの焦点距離をｆＧ３ｐとしたとき、
１．３０＜ｆＧ１ｐ／ｆＧ３ｐ＜５．００
なる条件式を満足することを特徴とする請求項１乃至１０のいずれか１項に記載の光学系。
【請求項１２】
請求項１乃至１１のいずれか１項に記載の光学系と、該光学系によって形成される像を受光する撮像素子を有することを特徴とする撮像装置。
【発明の詳細な説明】
【技術分野】
【０００１】
本発明は光学系及びそれを有する撮像装置に関し、例えばデジタルスチルカメラ、ビデオカメラ、監視カメラ、放送用カメラ等の撮像素子を用いた撮像装置、或いは銀塩写真フィルムを用いたカメラ等の撮像装置に好適なものである。
【背景技術】
【０００２】
焦点距離の長い撮影光学系として、物体側に正の屈折力の光学系を配置し、像側に負の屈折力の光学系を配置した、いわゆるテレフォトタイプの撮影光学系が知られている。テレフォトタイプの撮影光学系は、例えば単焦点の超望遠レンズに用いられている。
【０００３】
超望遠レンズでは、一般に、焦点距離が長くなるにつれて軸上色収差や倍率色収差が多く発生する。これらの色収差を良好に補正するための手法として、最も物体側に配置された正レンズの材料に低分散かつ異常分散性の高い材料を用いることが知られている。
【０００４】
特許文献１の光学系では、低分散かつ異常分散性の高い材料から形成された正レンズＬ１１、正レンズＬ１２を物体側から連続して配置している。ここで、正レンズの材料として用いられ、低分散かつ異常分散性の高い材料は一般的に耐傷性が低い。そこで、特許文献１の光学系では、正レンズＬ１１の物体側にカバーガラスを配置することにより、正レンズＬ１１に外部からの衝撃等が加わりにくいような構成としている。
【先行技術文献】
【特許文献】
【０００５】
【特許文献１】特開２０１５−２１５５５９号公報
【発明の概要】
【発明が解決しようとする課題】
【０００６】
特許文献１の光学系では、軸上光線や軸外光線の入射高が高くなる位置に正レンズＬ１１と正レンズＬ１２を配置することで色収差の良好な補正を図っているが、正レンズＬ１１及び正レンズＬ１２の有効径が大きくなりやすく、光学系の高重量化を招きやすい。
【０００７】
光学系の更なる軽量化を実現するためには、低分散かつ異常分散性の高い材料から形成された正レンズを適切な位置に配置することが重要である。
【０００８】
本発明は、軽量であり、かつ色収差等の収差が良好に補正された光学系及びそれを有する撮像装置を提供することを目的とする。
【課題を解決するための手段】
【０００９】
本発明の光学系は、物体側から像側へ順に配置された、正の屈折力の第１レンズ群、正または負の屈折力の第２レンズ群、正または負の屈折力の第３レンズ群から構成され、フォーカシングに際して前記第２レンズ群が移動し、隣り合うレンズ群の間隔が変化する光学系であって、前記第１レンズ群は、最も物体側に配置された正レンズＧ１ｐと、該正レンズＧ１ｐよりも像側に配置された正レンズＧ２ｐと、該正レンズＧ２ｐよりも像側に配置された正レンズＧ３ｐと、少なくとも１つの負レンズと、を含み、前記光学系の焦点距離をｆ、前記第１レンズ群の最も物体側のレンズ面から像面までの光軸上の距離をＬＤ、前記正レンズＧ１ｐと該正レンズＧ１ｐの像側に隣接して配置されたレンズとの光軸上の距離をＤ１２、前記正レンズＧ２ｐの材料のアッベ数をνｄＧ２ｐ、前記正レンズＧ３ｐの材料のアッベ数をνｄＧ３ｐ、前記１レンズ群に含まれる負レンズの中で最も物体側に配置された負レンズＧ１ｎのアッベ数をνｄＧ１ｎとしたとき、
ＬＤ／ｆ＜１．０
０．１７０＜Ｄ１２／ＬＤ＜０．５００
νｄＧ２ｐ＞７３．０
νｄＧ３ｐ＞７３．０
２０．０＜νｄＧ１ｎ＜４０．０
なる条件式を満足することを特徴とする。
【発明の効果】
【００１０】
本発明によれば、軽量であり、かつ色収差等の収差が良好に補正された光学系を得ることができる。
【図面の簡単な説明】
【００１１】
【図１】実施例１の光学系のレンズ断面図である。
【図２】無限遠に合焦しているときにおける実施例１の光学系の収差図である。
【図３】実施例２の光学系のレンズ断面図である。
【図４】無限遠に合焦しているときにおける実施例２の光学系の収差図である。
【図５】実施例３の光学系のレンズ断面図である。
【図６】無限遠に合焦しているときにおける実施例３の光学系の収差図である。
【図７】実施例４の光学系のレンズ断面図である。
【図８】無限遠に合焦しているときにおける実施例４の光学系の収差図である。
【図９】実施例５の光学系のレンズ断面図である。
【図１０】無限遠に合焦しているときにおける実施例５の光学系の収差図である。
【図１１】実施例６の光学系のレンズ断面図である。
【図１２】無限遠に合焦しているときにおける実施例６の光学系の収差図である。
【図１３】実施例７の光学系のレンズ断面図である。
【図１４】無限遠に合焦しているときにおける実施例７の光学系の収差図である。
【図１５】実施例８の光学系のレンズ断面図である。
【図１６】無限遠に合焦しているときにおける実施例８の光学系の収差図である。
【図１７】実施例９の光学系のレンズ断面図である。
【図１８】無限遠に合焦しているときにおける実施例９の光学系の収差図である。
【図１９】実施例１０の光学系のレンズ断面図である。
【図２０】無限遠に合焦しているときにおける実施例１０の光学系の収差図である。
【図２１】実施例１１の光学系のレンズ断面図である。
【図２２】無限遠に合焦しているときにおける実施例１１の光学系の収差図である。
【図２３】実施例１２の光学系のレンズ断面図である。
【図２４】無限遠に合焦しているときにおける実施例１２の光学系の収差図である。
【図２５】実施例１３の光学系のレンズ断面図である。
【図２６】無限遠に合焦しているときにおける実施例１３の光学系の収差図である。
【図２７】実施例１４の光学系のレンズ断面図である。
【図２８】無限遠に合焦しているときにおける実施例１４の光学系の収差図である。
【図２９】撮像装置の要部概略図である。
【発明を実施するための形態】
【００１２】
以下、本発明の光学系及びそれを有する撮像装置の実施例について、添付の図面に基づいて詳細に説明する。各実施例の光学系は、物体側より像側へ順に配置された、正の屈折力の第１レンズ群、正または負の屈折力の第２レンズ群、正または負の屈折力の第３レンズ群から構成される。フォーカシングに際して第２レンズ群が移動し、隣り合うレンズ群の間隔が変化する。ここでレンズ群とは、フォーカシングに際して一体的に移動するレンズ要素であって、１枚以上のレンズを有していればよく、複数枚のレンズを有していなくてもよい。
【００１３】
図１、３、５、７、９、１１、１３、１５、１７、１９、２１、２３、２５、２７は、それぞれ実施例１乃至１４の光学系の断面図である。図２、４、６、８、１０、１２、１４、１６、１８、２０、２２、２４、２６、２８は、それぞれ無限遠に合焦しているときにおける実施例１乃至１４の光学系の収差図である。
【００１４】
図２９は、本発明の撮像装置の実施例を示す概略図である。各実施例の光学系はビデオカメラやデジタルカメラ、銀塩フィルムカメラ、テレビカメラ等の撮像装置に用いられる撮影レンズ系である。レンズ断面図において左方が物体側（前方）で、右方が像側（後方）である。またレンズ断面図において、ｉを物体側から像側へのレンズ群の順番とするとＢｉは第ｉレンズ群を示す。
【００１５】
各実施例において、ＳＰは開口絞りである。実施例２、４、８、１３、１４では、開口絞りＳＰは、第２レンズ群Ｂ２と第３レンズ群Ｂ３の間に配置されている。実施例３では、開口絞りＳＰは第１レンズ群Ｂ１の内部に配置されている。実施例１、５、６、７、９、１０、１１、１２では、開口絞りＳＰは、第１レンズ群Ｂ１と第２レンズ群Ｂ２の間に配置されている。
【００１６】
実施例１、１１、１２の光学系は、物体側から像側へ順に配置された、正の屈折力の第１レンズ群、負の屈折力の第２レンズ群、正の屈折力の第３レンズ群から構成される。実施例２、４、８の光学系は、物体側から像側へ順に配置された、正の屈折力の第１レンズ群、負の屈折力の第２レンズ群、負の屈折力の第３レンズ群から構成される。実施例３、５、６、１０、１３、１４の光学系は、物体側から像側へ順に配置された、正の屈折力の第１レンズ群、正の屈折力の第２レンズ群、負の屈折力の第３レンズ群から構成される。実施例７及び９の光学系は、物体側から像側へ順に配置された、正の屈折力の第１レンズ群、正の屈折力の第２レンズ群、正の屈折力の第３レンズ群から構成される。
【００１７】
ＩＰは像面である。ビデオカメラやデジタルカメラの撮像光学系として光学系を使用する際には、像面ＩＰはＣＣＤセンサやＣＭＯＳセンサといった固体撮像素子（光電変換素子）に相当する。銀塩フィルムカメラの撮像光学系として各実施例の光学系を使用する際には、像面ＩＰはフィルム面に相当する。
【００１８】
球面収差図においてＦｎｏはＦナンバーであり、ｄ線（波長５８７．６ｎｍ）、ｇ線（波長４３５．８ｎｍ）に対する球面収差を示している。非点収差図においてΔＳはサジタル像面における非点収差量、ΔＭはメリディオナル像面における非点収差量を示している。歪曲収差はｄ線について示している。色収差図ではｇ線における色収差を示している。ωは撮像半画角である。
【００１９】
各実施例では、レンズ断面図中の矢印で示すように、無限遠から近距離へのフォーカシングに際して第２レンズ群Ｂ２が移動し、隣り合うレンズ群の間隔が変化する。各実施例の光学系において第２レンズ群Ｂ２がフォーカス群に相当する。なお、実施例１、２、４、８、１１、１２では、無限遠から近距離へのフォーカシングに際して第２レンズ群Ｂ２が像側に移動する。実施例３、５乃至７、９、１０、１３、１４では、無限遠から近距離へのフォーカシングに際して第２レンズ群Ｂ２が物体側に移動する。
【００２０】
また、各実施例の光学系では、光学系の一部のレンズを防振群として、防振群を光軸と垂直方向の成分を持つ方向に移動させることにより結像位置を変化させることができる。これにより像ぶれ補正を行うことができる。第１レンズ群Ｂ１、第２レンズ群Ｂ２、第３レンズ群Ｂ３のいずれかのレンズ群を防振群としても良いし、特定のレンズ群に含まれる一部のレンズを防振群としても良い。
【００２１】
各実施例の光学系においては、第１レンズ群Ｂ１に含まれるレンズの中で最も物体側に配置された正レンズＧ１ｐと、正レンズＧ１ｐの像側に隣接して配置されたレンズとの光軸上の距離が長くなるようなレンズ配置を採用している。これにより、正レンズＧ１ｐよりも像側に配置されたレンズの有効径を効果的に低減させることができる。
【００２２】
そして、第１レンズ群Ｂ１に含まれ正レンズＧ１ｐよりも像側に配置された正レンズＧ２ｐと、第１レンズ群Ｂ１に含まれ正レンズＧ２ｐよりも像側に配置された正レンズＧ３ｐを低分散かつ異常分散性の高い材料から形成している。これにより、光学系の軽量化と色収差の補正を両立させている。
【００２３】
ここで、光学系における色収差の補正に関連するパラメータとして、アッベ数νｄ、部分分散比θｇＦが知られている。ｇ線（波長４３５．８ｎｍ）、Ｆ線（４８６．１ｎｍ）、Ｃ線（６５６．３ｎｍ）、ｄ線（５８７．６ｎｍ）に対する材料の屈折率をそれぞれＮｇ、ＮＦ、ＮＣ、Ｎｄとするとき、アッベ数νｄ、部分分散比θｇＦはそれぞれ、
νｄ＝（Ｎｄ−１）／（ＮＦ−ＮＣ）
θｇＦ＝（Ｎｇ−ＮＦ）／（ＮＦ−ＮＣ）
で表される。
【００２４】
一般に、全体として正の屈折力を有するレンズ群の中に配置された正レンズの材料として低分散の材料を用いることで、１次の色収差の発生量を低減させることができる。また、全体として正の屈折力を有するレンズ群の中に配置された正レンズの材料として異常分散性の高い材料を用いることで、２次の倍率色収差を良好に補正することができる。
【００２５】
ここで、レンズに用いられる材料の異常分散性について説明する。
ΔθｇＦ＝θｇＦ−（０．６４３８−０．００１６８２×νｄ）  …  （Ａ）
としたとき、多くの材料で式（Ａ）の数値はゼロ近傍の値となる。式（Ａ）の数値がゼロから離れるほど、異常分散性の高い材料となる。
【００２６】
各実施例の光学系は、以下の条件式を満足している。
ＬＤ／ｆ＜１．０…（１）
０．１７０＜Ｄ１２／ＬＤ＜０．５００…（２）
νｄＧ２ｐ＞７３．０…（３）
νｄＧ３ｐ＞７３．０…（４）
【００２７】
ここで、光学系全系の焦点距離をｆ、第１レンズ群Ｂ１の最も物体側のレンズ面から像面までの光軸上の距離（以下、レンズ全長という）をＬＤとする。第１レンズ群Ｂ１に含まれるレンズの中で最も物体側に配置された正レンズＧ１ｐと、正レンズＧ１ｐの像側に隣接して配置されたレンズＧ２との光軸上の距離をＤ１２とする。また、第１レンズ群Ｂ１に含まれ正レンズＧ１ｐよりも像側に配置された正レンズＧ２ｐの材料のアッベ数をνｄＧ２ｐ、第１レンズ群Ｂ１に含まれ正レンズＧ２ｐよりも像側に配置された正レンズＧ３ｐの材料のアッベ数をνｄＧ３ｐとする。
【００２８】
条件式（１）は、第１レンズ群Ｂ１の最も物体側のレンズ面から像面までの光軸上の距離ＬＤが光学系全系の焦点距離ｆよりも短いことを示している。一般に、レンズ全長の短縮化を図った望遠レンズに搭載される光学系は、焦点距離がレンズ全長よりも長くなる。条件式（１）の上限値を上回ってレンズ全長が長くなると、光学系が光軸方向に大型化してしまうため好ましくない。
【００２９】
条件式（２）は、レンズ全長ＬＤと、正レンズＧ１ｐと正レンズＧ１ｐの像側に隣接して配置されたレンズＧ２との光軸上の距離Ｄ１２の比を規定した条件式である。各実施例の光学系では、レンズＧ２は正レンズＧ２ｐに相当するが、レンズＧ２は正レンズＧ２ｐと異なるレンズであっても良い。
【００３０】
条件式（２）の下限値を下回って、正レンズＧ１ｐとレンズＧ２との光軸上の距離Ｄ１２が短くなると、レンズＧ２の有効径が大きくなり過ぎて、光学系の重量の増大を招くため好ましくない。条件式（２）の上限値を上回って、正レンズＧ１ｐとレンズＧ２との光軸上の距離Ｄ１２が長くなると、正レンズＧ１ｐで発生する球面収差や色収差を、正レンズＧ１ｐよりも像側に配置されたレンズで補正することが困難になるため好ましくない。
【００３１】
条件式（３）、（４）はそれぞれ、正レンズＧ２ｐの材料のアッベ数νｄＧ２ｐ及び正レンズＧ３ｐの材料のアッベ数νｄＧ３ｐを規定する条件式である。条件式（３）の下限値を下回ってアッベ数νｄＧ２ｐが小さくなると、正レンズＧ２ｐにおいて色収差が多く発生するため好ましくない。同様に、条件式（４）の下限値を下回ってアッベ数νｄＧ３ｐが小さくなると、正レンズＧ３ｐにおいて色収差が多く発生するため好ましくない。
【００３２】
各実施例では以上説明したように、条件式（１）〜（４）を満足するように各要素を適切に設定している。これにより軽量であり、かつ色収差等の収差が良好に補正された光学系を得ることができる。
【００３３】
なお、各実施例において、好ましくは、条件式（１）〜（４）の数値範囲を次のように設定するのが良い。
ＬＤ／ｆ＜０．９８…（１ａ）
０．１７５＜Ｄ１２／ＬＤ＜０．４５０…（２ａ）
νｄＧ２ｐ＞８０．０…（３ａ）
νｄＧ３ｐ＞８０．０…（４ａ）
【００３４】
また、さらに好ましくは、条件式（１）〜（４）の数値範囲を次のように設定するのが良い。
ＬＤ／ｆ＜０．９６…（１ｂ）
０．１７８＜Ｄ１２／ＬＤ＜０．４００…（２ｂ）
νｄＧ２ｐ＞９０．０…（３ｂ）
νｄＧ３ｐ＞９０．０…（４ｂ）
【００３５】
なお、後述する実施例１乃至９および実施例１１乃至１４の光学系ように、Ｄ１２／ＬＤを０．２００以上とすることで、光学系のさらなる軽量化を達成することができる。
【００３６】
さらに、各実施例において、次の条件式のうち１つ以上を満足することがより好ましい。
０．０２０＜θｇＦ＿Ｇ２ｐ−（０．６４３８−０．００１６８２×νｄＧ２ｐ）＜０．１００…（５）
０．０２０＜θｇＦ＿Ｇ３ｐ−（０．６４３８−０．００１６８２×νｄＧ３ｐ）＜０．１００…（６）
ＬＧ２ｐ／（ＬＤ−Ｄ１２）＞０．８０…（７）
ＬＧ３ｐ／（ＬＤ−Ｄ１２）＞０．７０…（８）
ρＧ１ｐ＜３．０［ｇ／ｃｍ３］…（９）
１．５０＜ｆＧ１ｐ／ｆＧ２ｐ＜５．００…（１０）
１．３０＜ｆＧ１ｐ／ｆＧ３ｐ＜５．００…（１１）
１．８０＜｜ｆＧ１ｐ／ｆＧ１ｎ｜＜１０．００…（１２）
２０．０＜νｄＧ１ｎ＜４０．０…（１３）
【００３７】
ここで、正レンズＧ２ｐの材料の部分分散比をθｇＦ＿Ｇ２ｐ、正レンズＧ３ｐの材料の部分分散比をθｇＦ＿Ｇ３ｐ、正レンズＧ２ｐの物体側のレンズ面から像面までの光軸上の距離をＬＧ２ｐとする。正レンズＧ３ｐの物体側のレンズ面から像面までの光軸上の距離をＬＧ３ｐ、正レンズＧ１ｐの材料の比重をρＧ１ｐ、正レンズＧ１ｐの焦点距離をｆＧ１ｐ、正レンズＧ２ｐの焦点距離をｆＧ２ｐ、正レンズＧ３ｐの焦点距離をｆＧ３ｐとする。第１レンズ群Ｂ１に含まれる負レンズの中で最も物体側に配置された負レンズＧ１ｎの焦点距離をｆＧ１ｎ、負レンズＧ１ｎの材料のアッベ数をνｄＧ１ｎとする。
【００３８】
条件式（５）は、正レンズＧ２ｐの材料の異常分散性を規定した条件式である。異常分散性の高い材料を用いて正レンズＧ２ｐを構成することで、２次の倍率色収差の補正効果を高めることができる。条件式（５）の上限値を上回る材料は、撮影光学系としての実用性が乏しくなる。正レンズＧ２ｐの材料として、条件式（５）の下限値を下回る材料を用いると、２次の倍率色収差を十分に補正することが困難になるため好ましくない。
【００３９】
条件式（６）は、正レンズＧ３ｐの材料の異常分散性を規定した条件式である。異常分散性の高い材料を用いて正レンズＧ３ｐを構成することで、２次の倍率色収差の補正効果を高めることができる。条件式（６）の上限値を上回る材料は、撮影光学系としての実用性が乏しくなる。正レンズＧ３ｐの材料として、条件式（６）の下限値を下回る材料を用いると、２次の倍率色収差を十分に補正することが困難になるため好ましくない。
【００４０】
条件式（７）は、光学系全体における正レンズＧ２ｐの位置を規定する条件式である。条件式（７）の下限値を下回ると、正レンズＧ１ｐと正レンズＧ２ｐの距離が長くなり過ぎて、正レンズＧ２ｐに入射する軸上光線や軸外光線の高さが低くなり過ぎる。その結果、正レンズＧ２ｐにおいて２次の倍率色収差や軸上色収差を良好に補正することが困難になるため、好ましくない。
【００４１】
条件式（８）は、光学系全体における正レンズＧ３ｐの位置を規定する条件式である。条件式（８）の下限値を下回ると、正レンズＧ１ｐと正レンズＧ３ｐの距離が長くなり過ぎて、正レンズＧ３ｐに入射する軸上光線や軸外光線の高さが低くなり過ぎる。その結果、正レンズＧ３ｐにおいて２次の倍率色収差や軸上色収差を良好に補正することができなくなるため、好ましくない。
【００４２】
条件式（９）は、正レンズＧ１ｐの材料の比重ρＧ１ｐを規定する式である。条件式（９）の上限値を上回って、正レンズＧ１ｐの材料の比重ρＧ１ｐが大きくなると、正レンズＧ１ｐの重量が大きくなってしまい、光学系の軽量化を実現することが困難になるため、好ましくない。
【００４３】
条件式（１０）は、正レンズＧ１ｐの焦点距離ｆＧ１ｐと、正レンズＧ２ｐの焦点距離ｆＧ２ｐの比を規定した条件式である。条件式（１０）の下限値を下回って正レンズＧ１ｐの焦点距離ｆＧ１ｐが短くなると、正レンズＧ１ｐの屈折力が強くなり過ぎて、正レンズＧ１ｐにおいて軸上色収差が多く発生するため好ましくない。正レンズＧ１ｐで発生した軸上色収差を第１レンズ群Ｂ１に含まれる負レンズで補正するためには、負レンズの枚数を増やす必要性が生じ、光学系の重量化を招くため好ましくない。
【００４４】
また、条件式（１０）の上限値を上回って正レンズＧ１ｐの焦点距離ｆＧ１ｐが長くなると、正レンズＧ１ｐの屈折力が弱くなり過ぎる。その結果、正レンズＧ１ｐにおいて光を十分に収斂させることができず、正レンズＧ１ｐの像側に配置されたレンズの有効径が大きくなり、光学系の重量化を招くため好ましくない。
【００４５】
条件式（１１）は、正レンズＧ１ｐの焦点距離ｆＧ１ｐと、正レンズＧ３ｐの焦点距離ｆＧ３ｐの比を規定した条件式である。条件式（１１）の下限値を下回って正レンズＧ１ｐの焦点距離ｆＧ１ｐが短くなると、正レンズＧ１ｐの屈折力が強くなり過ぎて、正レンズＧ１ｐにおいて軸上色収差が多く発生するため好ましくない。正レンズＧ１ｐで発生した軸上色収差を第１レンズ群Ｂ１に含まれる負レンズで補正するためには、負レンズの枚数を増やす必要性が生じ、光学系の重量化を招くため好ましくない。
【００４６】
また、条件式（１１）の上限値を上回って正レンズＧ１ｐの焦点距離ｆＧ１ｐが長くなると、正レンズＧ１ｐの屈折力が弱くなり過ぎる。その結果、正レンズＧ１ｐにおいて光を十分に収斂させることができず、正レンズＧ１ｐの像側に配置されたレンズの有効径が大きくなり、光学系の重量化を招くため好ましくない。
【００４７】
条件式（１２）は、正レンズＧ１ｐの焦点距離ｆＧ１ｐと、負レンズＧ１ｎの焦点距離ｆＧ１ｎの比を規定した条件式である。条件式（１２）の下限値を下回って正レンズＧ１ｐの焦点距離ｆＧ１ｐが短くなると、正レンズＧ１ｐの屈折力が強くなり過ぎて、正レンズＧ１ｐにおいて軸上色収差が多く発生するため好ましくない。また、条件式（１２）の下限値を下回って負レンズＧ１ｎの焦点距離ｆＧ１ｎが長くなると、負レンズＧ１ｎの屈折力が弱くなり過ぎる。結果として、正レンズＧ１ｐで発生する軸上色収差や球面収差を負レンズＧ１ｎで補正することが困難になるため、好ましくない。
【００４８】
また、条件式（１２）の上限値を上回って正レンズＧ１ｐの焦点距離ｆＧ１ｐが長くなると、正レンズＧ１ｐの屈折力が弱くなり過ぎる。その結果、正レンズＧ１ｐにおいて光を十分に収斂させることができず、正レンズＧ１ｐの像側に配置されたレンズの有効径が大きくなり、光学系の重量化を招くため好ましくない。
【００４９】
条件式（１３）は、負レンズＧ１ｎの材料のアッベ数νｄＧ１ｎを規定した条件式である。正の屈折力の第１レンズ群Ｂ１に含まれる負レンズＧ１ｎの材料として、高分散の材料を用いることで１次の色収差を良好に補正することができる。条件式（１３）の下限値を下回ると、負レンズＧ１ｎにおいて倍率色収差が過剰に補正されてしまうため好ましくない。また、条件式（１３）の上限値を上回ると、負レンズＧ１ｎにおいて倍率色収差を十分に補正することが困難になるため、好ましくない。
【００５０】
好ましくは、条件式（５）〜（１３）の数値範囲を次のように設定するのが良い。
０．０３０＜θｇＦ＿Ｇ２ｐ−（０．６４３８−０．００１６８２×νｄＧ２ｐ）＜０．０８０…（５ａ）
０．０２５＜θｇＦ＿Ｇ３ｐ−（０．６４３８−０．００１６８２×νｄＧ３ｐ）＜０．０８０…（６ａ）
ＬＧ２ｐ／（ＬＤ−Ｄ１２）＞０．８５…（７ａ）
ＬＧ３ｐ／（ＬＤ−Ｄ１２）＞０．７５…（８ａ）
ρＧ１ｐ＜２．８［ｇ／ｃｍ３］…（９ａ）
１．６０＜ｆＧ１ｐ／ｆＧ２ｐ＜４．５０…（１０ａ）
１．４０＜ｆＧ１ｐ／ｆＧ３ｐ＜４．５０…（１１ａ）
１．９０＜｜ｆＧ１ｐ／ｆＧ１ｎ｜＜８．００…（１２ａ）
２１．０＜νｄＧ１ｎ＜３９．０…（１３ａ）
【００５１】
さらに好ましくは、条件式（５）〜（１３）の数値範囲を次のように設定するのが良い。
０．０４０＜θｇＦ＿Ｇ２ｐ−（０．６４３８−０．００１６８２×νｄＧ２ｐ）＜０．０７０…（５ｂ）
０．０３０＜θｇＦ＿Ｇ３ｐ−（０．６４３８−０．００１６８２×νｄＧ３ｐ）＜０．０７０…（６ｂ）
ＬＧ２ｐ／（ＬＤ−Ｄ１２）＞０．９０…（７ｂ）
ＬＧ３ｐ／（ＬＤ−Ｄ１２）＞０．８０…（８ｂ）
ρＧ１ｐ＜２．７［ｇ／ｃｍ３］…（９ｂ）
１．７０＜ｆＧ１ｐ／ｆＧ２ｐ＜４．００…（１０ｂ）
１．５０＜ｆＧ１ｐ／ｆＧ３ｐ＜４．００…（１１ｂ）
２．００＜｜ｆＧ１ｐ／ｆＧ１ｎ｜＜７．００…（１２ｂ）
２３．０＜νｄＧ１ｎ＜３８．５…（１３ｂ）
【００５２】
なお、フォーカシングに際して移動する第２レンズ群Ｂ２は、正レンズと負レンズを含むことが好ましい。これにより、フォーカシングに際しての色収差、特に軸上色収差の変動を抑制することができる。
【００５３】
また、第２レンズ群Ｂ２は、２枚以下のレンズから構成されることが好ましい。これによりフォーカス群を軽量化することができ、さらにフォーカス群である第２レンズ群Ｂ２を駆動させるためのメカ機構の小型化及び軽量化を実現することができる。
【００５４】
さらに、各実施例の光学系においては、フォーカシングに際して第１レンズ群Ｂ１が不動であることが好ましい。光学系を構成するレンズ群の中で最も物体側に配置される第１レンズ群Ｂ１は、有効径が大きくなり高重量である。重量の大きい第１レンズ群Ｂ１をフォーカシングに際して移動させるためには、大型の駆動機構が必要となり、光学系や光学系を含む撮像装置の高重量化を招くため好ましくない。
【００５５】
次に、本発明の実施例１から１４にそれぞれ対応する数値実施例１から１４を示す。各数値実施例において、ｉは物体側からの光学面の順序を示す。ｒｉは第ｉ番目の光学面（第ｉ面）の曲率半径、ｄｉは第ｉ面と第ｉ＋１面との間の間隔、ｎｄｉとνｄｉはそれぞれｄ線に対する第ｉ番目の光学部材の材料の屈折率、アッベ数を示す。レンズ面の間隔変化に関しては、無限遠に合焦しているときのレンズ面の間隔と、最至近距離に合焦しているときのレンズ面の間隔を記載している。
【００５６】
各実施例において、バックフォーカス（ＢＦ）は、光学系の最も像側の面から像面までの距離を、空気換算長により表したものである。また、各数値実施例における上述した条件式との対応を表１に示す。表１において、ΔθｇＦ＿Ｇｉは、θｇＦ＿Ｇｉ−（０．６４３８−０．００１６８２×νｄｉ）の数値を示している。
【００５７】
なお、各実施例において第１レンズ群Ｂ１の物体側に、レンズを保護するための保護ガラスを配置しても良い。屈折力が極めて弱い保護ガラスは、第１レンズ群Ｂ１に含まれないものとする。
【００５８】
［数値実施例１］
単位 mm
面データ
面番号       r        d      nd         νd       有効径    θgF   ΔθgF
1        150.642   16.15   1.59270    35.3      135.36
2        730.042  100.00                        134.20
3        107.703   14.79   1.43387    95.1       84.27   0.5373   0.0534
4       -328.442    0.27                         82.15
5       -318.403    3.00   1.85478    24.8       81.94
6         87.265    3.08                         76.51
7         88.737   12.63   1.43387    95.1       76.87   0.5373   0.0534
8      -1026.629   35.00                         76.22
9         68.568    6.10   1.89286    20.4       62.07
10        127.179    5.00                         60.58
11         68.368    2.30   1.65412    39.7       55.04
12         43.418    1.15                         51.09
13         48.830    7.97   1.43387    95.1       51.07
14        133.424    7.57                         49.03
15(絞り)    ∞     (可変)                         44.73
16      -3151.717    1.87   1.91082    35.3       40.00
17         61.271  (可変)                         38.04
18         97.234    1.76   1.92286    20.9       33.23
19         63.011    9.17   1.56732    42.8       32.60
20        -96.758    1.07                         33.13
21        110.488    4.14   1.85025    30.1       32.94
22       -106.157    1.44   1.59522    67.7       32.67
23         36.770    5.26                         31.16
24        -77.293    1.47   1.72916    54.7       31.20
25         75.820    4.11                         32.49
26         89.505   10.00   1.64769    33.8       36.21
27       -216.973    0.15                         38.52
28         77.954   12.44   1.73800    32.3       39.99
29        -58.563    2.00   1.80809    22.8       39.98
30          ∞      65.15                         40.13
像面        ∞
各種データ
焦点距離     392.55
Fナンバー      2.90
半画角         3.15
像高          21.64
レンズ全長   371.25
BF            65.15
∞    -0.16倍
d15            5.89      20.04
d17           30.34      16.19
入射瞳位置     532.27
射出瞳位置    -104.85
前側主点位置    18.38
後側主点位置  -327.40
レンズ群データ
群  始面    焦点距離  レンズ構成長  前側主点位置  後側主点位置
1    1     175.07       215.00       163.73       -118.69
2   16     -65.97         1.87         0.96         -0.02
3   18     183.65        53.01        23.36        -15.91
単レンズデータ
レンズ  始面  焦点距離
1       1    316.96
2       3    188.88
3       5    -79.86
4       7    188.90
5       9    158.84
6      11   -188.77
7      13    172.59
8      16    -65.97
9      18   -198.89
10      19     68.69
11      21     64.24
12      22    -45.71
13      24    -52.28
14      26     99.10
15      28     47.14
16      29    -72.47
【００５９】
［数値実施例２］
単位 mm
面データ
面番号       r        d      nd         νd       有効径    θgF   ΔθgF
1        304.232   11.77   1.59551    39.2      134.48
2      -3473.263  130.00                        133.88
3        135.555   14.53   1.43387    95.1       93.09   0.5373   0.0534
4       -474.298    0.42                         91.37
5       -431.027    4.00   1.73800    32.3       91.22
6        247.150    3.00                         88.10
7         88.485   12.33   1.43387    95.1       85.53   0.5373   0.0534
8        462.085    1.00                         83.92
9         73.802    4.50   1.65412    39.7       77.43
10         57.758  (可変)                         72.10
11        249.332    8.55   1.80809    22.8       60.63
12       -145.324    2.60   1.85478    24.8       59.32
13        149.847  (可変)                         56.49
14(絞り)    ∞       6.99                         40.88
15        236.895    1.90   1.83481    42.7       38.53
16         79.511    5.11   1.53775    74.7       37.72
17       -211.462   41.94                         37.34
18        270.103    2.34   1.80518    25.4       20.27
19        -92.625    1.62   1.62299    58.2       19.86
20         39.986    2.11                         18.85
21        -65.825    1.57   1.77250    49.6       18.79
22        149.119    2.19                         19.24
23         80.993    3.17   1.63980    34.5       20.64
24       -114.908   50.87                         21.09
25       -494.014    7.22   1.67270    32.1       33.69
26        -29.034    1.80   1.83481    42.7       34.04
27        143.833    1.45                         36.41
28         81.978    9.87   1.73800    32.3       38.45
29        -38.887    1.80   1.92286    18.9       38.93
30        -74.668   65.00                         40.16
像面        ∞   
各種データ
焦点距離     780.00
Fナンバー      5.80
半画角         1.59
像高          21.64
レンズ全長   490.00
BF            65.00
∞      -0.15倍
d10            35.94      72.66
d13            54.41      17.69
入射瞳位置     862.03
射出瞳位置    -239.64
前側主点位置  -355.06
後側主点位置  -715.00
レンズ群データ
群  始面    焦点距離  レンズ構成長  前側主点位置  後側主点位置
1    1     298.08       181.56        38.61       -127.38
2   11    -374.69        11.15        13.67          7.28
3   14    -654.05       141.95      -152.97       -439.31
単レンズデータ
レンズ  始面  焦点距離
1       1    470.28
2       3    244.75
3       5   -212.31
4       7    249.75
5       9   -456.83
6      11    114.73
7      12    -85.96
8      15   -144.16
9      16    108.12
10      18     85.91
11      19    -44.62
12      21    -58.93
13      23     74.73
14      25     45.57
15      26    -28.80
16      28     37.02
17      29    -90.11
【００６０】
［数値実施例３］
単位 mm
面データ
面番号       r        d      nd         νd       有効径    θgF   ΔθgF
1        302.631   13.68   1.53172    48.8      141.98
2      -1528.554  150.00                        141.38
3        111.159   17.83   1.43387    95.1       91.72   0.5373   0.0534
4       -262.152    0.30                         89.76
5       -272.660    3.80   1.73800    32.3       89.31
6        128.018    0.50                         84.42
7         82.578   13.73   1.43387    95.1       84.07   0.5373   0.0534
8        648.537   62.47                         82.66
9(絞り)    ∞       1.50                         51.15
10         74.152    9.64   1.80809    22.8       48.30
11        -92.697    1.50   1.90315    29.8       46.76
12         56.781  (可変)                         42.24
13        100.319    1.80   1.80809    22.8       29.08
14         56.270    4.40   1.90366    31.3       28.33
15        157.977  (可変)                         27.36
16         69.858    4.69   1.85478    24.8       25.00
17        -79.548    1.62   1.76385    48.5       23.95
18         39.816    2.99                         23.03
19        -78.851    1.57   1.91082    35.3       23.10
20        119.107    3.02                         23.76
21        122.941    4.72   1.51633    64.1       25.73
22        -49.179    2.56                         26.47
23        -43.755    1.70   1.76385    48.5       26.94
24        -95.999   22.67                         28.05
25        218.669    8.46   1.73800    32.3       39.79
26        -43.667    1.90   1.92286    18.9       40.29
27        -79.787   85.94                         41.38
像面        ∞
各種データ
焦点距離     584.98
Fナンバー      4.12
半画角         2.12
像高          21.64
レンズ全長   476.10
BF            85.94
∞     -0.14倍
d12           48.06       4.82
d15           5.05       48.29
入射瞳位置     618.32
射出瞳位置    -265.10
前側主点位置   228.49
後側主点位置  -499.04
レンズ群データ
群  始面    焦点距離  レンズ構成長  前側主点位置  後側主点位置
1    1     492.97       274.95      -443.17       -343.41
2   13     238.41         6.20        -4.10         -7.28
3   16    -1576.39        55.91      -594.87       -1036.81
単レンズデータ
レンズ  始面  焦点距離
1       1    476.33
2       3    182.55
3       5   -117.57
4       7    216.51
5      10     52.33
6      11    -38.80
7      13   -161.53
8      14     94.77
9      16     44.15
10      17    -34.54
11      19    -51.89
12      21     68.67
13      23   -106.76
14      25     50.01
15      26   -107.23
【００６１】
［数値実施例４］
単位 mm
面データ
面番号       r        d      nd         νd       有効径    θgF   ΔθgF
1        303.500   14.27   1.48749    70.2      141.99
2      -1119.197  125.00                        141.42
3        133.848   18.28   1.43387    95.1      100.56   0.5373   0.0534
4       -278.409    1.00                         98.74
5       -272.653    4.45   1.67300    38.1       97.88
6        341.744    7.63                         93.96
7         85.208   13.41   1.43387    95.1       88.08   0.5373   0.0534
8        451.394    1.00                         86.17
9         68.525    5.00   1.51742    52.4       77.54
10         52.234  (可変)                         70.88
11        477.269    7.06   1.80809    22.8       64.98
12       -180.144    2.60   1.85025    30.1       63.77
13        158.963  (可変)                         60.68
14(絞り)    ∞       6.99                         43.66
15       1790.868    1.90   1.83481    42.7       41.15
16         53.608    8.55   1.59522    67.7       40.01
17       -120.253   17.05                         39.67
18         99.470    4.03   1.80518    25.4       31.84
19       -110.952    1.62   1.62299    58.2       31.25
20         41.547    4.33                         28.91
21        -68.903    1.57   1.77250    49.6       28.86
22        209.179    3.12                         29.01
23         99.162    3.52   1.73800    32.3       29.71
24       -277.851   48.07                         29.67
25        161.753    6.28   1.73800    32.3       39.71
26        -73.339    1.90   1.92286    18.9       39.80
27       -283.372   93.89                         40.13
像面        ∞
各種データ
焦点距離     584.99
Fナンバー      4.12
半画角         2.12
像高          21.64
レンズ全長   476.09
BF            93.89
∞     -0.14倍
d10           22.54       47.33
d13           51.04       26.25
入射瞳位置     786.58
射出瞳位置    -161.90
前側主点位置    33.70
後側主点位置  -491.10
レンズ群データ
群  始面    焦点距離  レンズ構成長  前側主点位置  後側主点位置
1    1     241.29       190.04        75.74       -108.88
2   11    -260.30         9.66         7.63          2.26
3   14    -13347.44       108.92      -4161.70       -6209.10
単レンズデータ
レンズ  始面  焦点距離
1       1    491.38
2       3    211.17
3       5   -224.69
4       7    239.44
5       9   -474.28
6      11    162.62
7      12    -98.97
8      15    -66.23
9      16     63.46
10      18     65.70
11      19    -48.32
12      21    -66.93
13      23     99.42
14      25     69.16
15      26   -107.69
【００６２】
［数値実施例５］
単位 mm
面データ
面番号       r        d      nd         νd       有効径    θgF   ΔθgF
1        256.651   12.30   1.53172    48.8      118.70
2       -898.293  100.00                        118.14
3        123.678   14.23   1.43387    95.1       82.63   0.5373   0.0534
4       -250.852    0.30                         80.94
5       -236.670    3.50   1.73800    32.3       80.85
6        159.068    1.00                         77.47
7         73.782   12.65   1.43387    95.1       76.56   0.5373   0.0534
8        562.749    1.00                         75.14
9         50.236    3.50   1.73800    32.3       67.65
10         44.936   47.20                         63.78
11         81.633    7.02   1.80809    22.8       45.69
12       -345.170    2.00   1.90366    31.3       44.08
13         59.571   12.67                         40.95
14(絞り)    ∞      (可変)                        38.36
15         72.373    1.85   1.90366    31.3       30.81
16         70.798    3.44   1.53775    74.7       30.16
17        618.776   (可変)                        29.48
18        112.273    3.56   1.84666    23.8       28.12
19        -85.446    1.61   1.77250    49.6       27.52
20         43.801    3.33                         25.58
21        -71.870    1.50   1.91082    35.3       25.51
22       7154.260   12.83                         25.59
23        -86.248    2.42   1.61340    44.3       29.01
24        -66.648   20.00                         29.85
25        134.333    8.24   1.67300    38.1       39.36
26        -50.197    1.80   1.80809    22.8       39.68
27       -115.724  106.46                         40.39
像面        ∞
各種データ
焦点距離     489.05
Fナンバー      4.12
半画角         2.53
像高          21.64
レンズ全長   411.08
BF           106.46
∞     -0.14倍
d14           24.67       2.00
d17           2.00       24.67
入射瞳位置     565.70
射出瞳位置    -158.34
前側主点位置   151.57
後側主点位置  -382.58
レンズ群データ
群  始面    焦点距離  レンズ構成長  前側主点位置  後側主点位置
1    1     414.18       204.70      -309.53       -268.47
2   14     152.99        29.96        23.47         -4.38
3   18    -441.84        55.28      -166.34       -347.04
単レンズデータ
レンズ  始面  焦点距離
1       1    376.81
2       3    193.15
3       5   -128.42
4       7    194.19
5       9   -802.16
6      11     82.30
7      12    -56.09
8      15   -8138.48
9      16    148.34
10      18     57.78
11      19    -37.28
12      21    -78.11
13      23    456.65
14      25     55.29
15      26   -111.07
【００６３】
［数値実施例６］
単位 mm
面データ
面番号       r        d      nd         νd       有効径    θgF   ΔθgF
1        303.613   11.69   1.54814    45.8      118.70
2       -720.087   95.00                        118.22
3        145.704   14.21   1.43387    95.1       85.77   0.5373   0.0534
4       -228.748    0.30                         84.22
5       -214.415    3.50   1.74950    35.3       84.19
6        190.939    2.00                         81.27
7         78.997   14.38   1.43387    95.1       80.42   0.5373   0.0534
8       1108.619    1.00                         78.73
9         54.119    3.50   1.73800    32.3       71.00
10         47.476   66.65                         66.93
11         87.668    4.79   1.80809    22.8       42.48
12        171.534    2.00   1.91082    35.3       40.89
13         66.228    7.96                         39.19
14(絞り)    ∞      (可変)                        37.65
15         76.142    1.85   1.90366    31.3       29.64
16         75.600    3.27   1.53775    74.7       29.01
17        778.003   (可変)                        28.33
18        123.763    3.56   1.84666    23.8       26.99
19        -70.153    1.61   1.77250    49.6       26.40
20         41.736    3.54                         24.48
21        -68.635    1.50   1.91082    35.3       24.32
22      -1082.263    4.25                         24.42
23        -62.341    2.40   1.67300    38.1       24.59
24        -48.987   31.15                         25.36
25        107.183    8.24   1.67300    38.1       39.48
26        -54.390    1.80   1.80809    22.8       39.71
27       -153.673   94.42                         40.28
像面        ∞
各種データ
焦点距離     489.05
Fナンバー      4.12
半画角         2.53
像高          21.64
レンズ全長   411.08
BF            94.42
∞     -0.14倍
d14           24.52       2.00
d17           2.00       24.52
入射瞳位置     605.93
射出瞳位置    -158.62
前側主点位置   149.81
後側主点位置  -394.63
レンズ群データ
群  始面    焦点距離  レンズ構成長  前側主点位置  後側主点位置
1    1     383.47       219.01      -229.79       -254.89
2   14     155.98        29.64        23.46         -4.15
3   18    -376.55        58.04      -140.90       -308.38
単レンズデータ
レンズ  始面  焦点距離
1       1    391.20
2       3    207.53
3       5   -134.26
4       7    195.22
5       9   -675.14
6      11    216.37
7      12   -119.52
8      15    18912.95
9      16    155.46
10      18     53.33
11      19    -33.66
12      21    -80.51
13      23    316.92
14      25     54.73
15      26   -105.03
【００６４】
［数値実施例７］
単位 mm
面データ
面番号       r        d      nd         νd       有効径    θgF   ΔθgF
1        272.017   15.63   1.53172    48.8      135.37
2       -661.466   75.00                        134.73
3        161.777   18.72   1.43387    95.1      101.09   0.5373   0.0534
4       -196.205    0.20                         99.09
5       -199.530    4.30   1.73800    32.3       98.73
6        281.165    0.50                         94.56
7         92.859   12.89   1.43387    95.1       92.38   0.5373   0.0534
8        395.372   50.00                         90.76
9         91.563    6.68   1.92286    18.9       57.92
10       21270.468   1.80   1.85478    24.8       56.63
11         53.190   17.97                         51.03
12(絞り)    ∞     (可変)                         47.07
13         72.592    5.63   1.59522    67.7       34.46
14       -269.274    1.70   1.51633    64.1       33.25
15        189.489  (可変)                         32.01
16        133.885    4.62   1.84666    23.8       27.82
17       -109.073    1.71   1.65160    58.5       26.59
18         41.354    3.05                         24.48
19        -76.188    1.63   1.88300    40.8       24.53
20        142.443   11.01                         25.43
21        523.344    5.91   1.61340    44.3       33.31
22        -41.876    2.00   1.69895    30.1       34.14
23        -87.849   17.30                         35.78
24         86.521    9.20   1.61340    44.3       45.71
25        -70.765    1.91   1.80809    22.8       45.84
26       -141.307   60.00                         46.30
像面        ∞
各種データ
焦点距離     392.57
Fナンバー      2.90
半画角         3.15
像高          21.64
レンズ全長   371.15
BF            60.00
∞     -0.16倍
d12           34.43       1.00
d15            7.36       40.79
入射瞳位置     497.61
射出瞳位置    -312.22
前側主点位置   476.15
後側主点位置  -332.57
レンズ群データ
群  始面    焦点距離  レンズ構成長  前側主点位置  後側主点位置
1    1     394.38       185.72      -252.79       -240.54
2   12     170.54        41.75        32.44         -6.55
3   16     591.22        58.35       271.96        414.18
単レンズデータ
レンズ  始面  焦点距離
1       1    364.63
2       3    207.65
3       5   -157.54
4       7    276.16
5       9     99.63
6      10    -62.38
7      13     96.66
8      14   -215.14
9      16     71.62
10      17    -45.81
11      19    -56.02
12      21     63.46
13      22   -116.57
14      24     64.91
15      25   -177.56
【００６５】
［数値実施例８］
単位 mm
面データ
面番号       r        d      nd         νd       有効径    θgF   ΔθgF
1        385.526   13.44   1.51823    58.9      134.25
2       -571.729   77.00                        133.81
3        138.510   20.20   1.43387    95.1      105.47   0.5373   0.0534
4       -239.954    0.88                        103.58
5       -236.997    4.45   1.72047    34.7      102.71
6        413.620    1.96                         98.82
7         89.685   13.98   1.49700    81.5       94.58   0.5375   0.0309
8        401.260    1.00                         92.61
9         73.362    4.00   1.51633    64.1       83.23
10         55.381  (可変)                         76.71
11        676.714    8.83   1.80809    22.8       71.19
12       -131.916    2.50   1.85025    30.1       69.98
13        177.931  (可変)                         66.25
14(絞り)    ∞       6.99                         47.46
15        389.162    1.90   1.83481    42.7       44.83
16         50.248   10.20   1.59522    67.7       43.35
17       -104.244   21.30                         42.94
18         62.380    4.41   1.80518    25.4       30.44
19       -125.782    1.62   1.62299    58.2       29.62
20         29.348    4.45                         26.31
21        -76.872    1.50   1.77250    49.6       26.33
22         90.429    3.40                         27.45
23         62.033    5.17   1.73800    32.3       31.17
24       -269.003   11.30                         31.75
25         63.333    7.28   1.73800    32.3       35.82
26        -65.540    1.50   1.92286    18.9       35.62
27        179.797   60.88                         35.48
像面        ∞
各種データ
焦点距離     392.00
Fナンバー      2.92
半画角         3.16
像高          21.64
レンズ全長   371.00
BF            60.88
∞     -0.17倍
d10           23.34       58.96
d13           57.54       21.92
入射瞳位置     604.24
射出瞳位置     -69.07
前側主点位置  -186.31
後側主点位置  -331.12
レンズ群データ
群  始面    焦点距離  レンズ構成長  前側主点位置  後側主点位置
1    1     218.77       136.91        38.12        -80.51
2   11    -258.49        11.33         8.11          1.81
3   14    -1780.17        81.01        39.35        -30.56
単レンズデータ
レンズ  始面  焦点距離
1       1    446.46
2       3    205.73
3       5   -208.53
4       7    228.98
5       9   -473.50
6      11    137.28
7      12    -88.77
8      15    -69.29
9      16     58.40
10      18     52.34
11      19    -38.04
12      21    -53.58
13      23     68.76
14      25     44.72
15      26    -51.89
【００６６】
［数値実施例９］
単位 mm
面データ
面番号       r        d      nd         νd       有効径    θgF   ΔθgF
1        253.206   15.70   1.53172    48.8      135.37
2       -794.645   80.00                        134.68
3        120.312   19.13   1.43387    95.1       98.20   0.5373   0.0534
4       -255.664    0.27                         95.99
5       -251.994    4.30   1.73800    32.3       95.75
6        185.815    2.00                         90.53
7         78.093   14.41   1.43387    95.1       87.97   0.5373   0.0534
8        395.372    1.00                         86.16
9         65.333    5.00   1.73800    32.3       77.77
10         52.898   55.75                         71.52
11        131.577    5.85   1.92286    18.9       47.81
12       -173.016    1.80   2.00100    29.1       46.87
13         79.693    5.11                         44.10
14(絞り)    ∞     (可変)                         43.54
15         84.346    5.20   1.76385    48.5       34.24
16       -330.244    1.50   1.78760    23.4       33.22
17        500.351  (可変)                         32.49
18        119.964    5.15   1.84666    23.8       28.83
19        -81.582    1.71   1.67790    55.3       27.56
20         38.192    3.96                         26.61
21        -65.854    1.63   1.76200    40.1       26.66
22        131.367   11.01                         27.85
23        595.238    4.99   1.51633    64.1       36.10
24        -86.999   10.16                         37.37
25         76.297   10.02   1.61340    44.3       44.95
26        -60.967    1.91   1.92286    18.9       45.06
27       -120.249   66.01                         45.73
像面        ∞
各種データ
焦点距離     392.57
Fナンバー      2.90
半画角         3.15
像高          21.64
レンズ全長   371.15
BF            66.01
∞     -0.16倍
d14            31.55       1.00
d17            6.03       36.58
入射瞳位置     548.07
射出瞳位置    -202.24
前側主点位置   366.12
後側主点位置  -326.56
レンズ群データ
群  始面    焦点距離  レンズ構成長  前側主点位置  後側主点位置
1    1     478.88       205.21      -475.87       -321.17
2   14     133.94        38.25        30.72         -4.59
3   18     3089.85        50.55       1169.58        1813.90
単レンズデータ
レンズ  始面  焦点距離
1       1    363.02
2       3    191.51
3       5   -144.32
4       7    221.25
5       9   -454.12
6      11     81.74
7      12    -54.31
8      15     88.44
9      16   -252.39
10      18     58.03
11      19    -38.15
12      21    -57.36
13      23    147.38
14      25     56.82
15      26   -136.11
【００６７】
［数値実施例１０］
単位 mm
面データ
面番号       r        d      nd         νd       有効径    θgF   ΔθgF
1        294.571   10.93   1.59270    35.3      100.87
2       -427.284   50.00                        100.40
3         87.155   16.09   1.43387    95.1       78.40   0.5373   0.0534
4       -250.471    0.20                         76.31
5       -248.732    3.30   1.85478    24.8       76.12
6        245.249    0.30                         73.12
7         57.005   12.25   1.43387    95.1       69.69   0.5373   0.0534
8        208.094    0.50                         67.55
9         48.647    4.50   1.85478    24.8       60.46
10         39.822   34.21                         54.77
11        110.427    4.43   1.92286    18.9       38.11
12       -234.759    1.50   1.91082    35.3       37.06
13         45.695    5.31                         34.20
14(絞り)    ∞     (可変)                         33.67
15         48.513    6.40   1.59522    67.7       28.74
16        -47.434    1.70   1.72916    54.7       27.90
17       -203.760  (可変)                         26.86
18        118.337    4.05   1.84666    23.9       24.81
19        -53.903    1.50   1.77250    49.6       23.88
20         34.010    3.73                         22.69
21        -53.303    1.50   1.80610    40.9       22.89
22        148.382   15.17                         24.15
23        580.743    4.75   1.51742    52.4       37.96
24        -79.778    0.20                         39.06
25         79.802   10.01   1.65412    39.7       42.17
26        -47.847    1.80   1.92286    18.9       42.40
27        -95.313   60.48                         43.34
像面        ∞
各種データ
焦点距離     292.52
Fナンバー      2.90
半画角         4.23
像高          21.64
レンズ全長   273.26
BF            60.48
∞     -0.17倍
d14            16.44       1.00
d17            1.99       17.44
入射瞳位置     343.18
射出瞳位置    -133.95
前側主点位置   195.61
後側主点位置  -232.04
レンズ群データ
群  始面    焦点距離  レンズ構成長  前側主点位置  後側主点位置
1    1     383.25       138.21      -430.69       -251.00
2   14      77.20        24.54        16.95         -4.53
3   18    -683.60        42.71      -275.39       -521.08
単レンズデータ
レンズ  始面  焦点距離
1       1    295.85
2       3    151.20
3       5   -144.03
4       7    176.63
5       9   -335.68
6      11     81.88
7      12    -41.89
8      15     41.32
9      16    -85.18
10      18     44.22
11      19    -26.79
12      21    -48.49
13      23    135.90
14      25     47.19
15      26   -106.04
【００６８】
［数値実施例１１］
単位 mm
面データ
面番号       r        d      nd         νd       有効径    θgF   ΔθgF
1         99.464   14.87   1.59270    35.3      101.04
2        456.909   64.58                         99.29
3         80.681   11.90   1.43387    95.1       62.00   0.5373   0.0534
4       -167.967    0.15                         60.11
5       -166.869    2.30   1.85478    24.8       59.92
6         51.072    0.15                         54.95
7         50.726   11.60   1.43387    95.1       55.04   0.5373   0.0534
8       -770.506   10.68                         54.62
9         59.715    3.81   1.89286    20.4       50.66
10         74.063    8.36                         49.33
11         58.185    2.00   1.65412    39.7       45.60
12         45.596    1.04                         43.86
13         51.918    6.42   1.90366    31.3       43.79
14        206.154    3.00                         42.24
15(絞り)    ∞     (可変)                         40.40
16       2015.159    1.90   1.91082    35.3       37.51
17         32.641    3.50   1.84666    23.8       34.33
18         43.038  (可変)                         33.42
19         64.610    5.62   1.49700    81.5       31.81
20        -78.046    1.00                         31.84
21        469.814    3.84   1.85478    24.8       30.43
22        -64.210    1.50   1.60311    60.6       30.18
23         33.512    7.59                         28.87
24        -47.827    1.50   1.60311    60.6       29.44
25         93.980    2.80                         31.60
26         77.014    6.40   1.59551    39.2       36.97
27        -82.425    0.42                         37.69
28        108.793   10.03   1.85478    24.8       38.99
29        -32.591    2.00   1.89286    20.4       38.97
30       1236.437   63.67                         39.14
像面        ∞
各種データ
焦点距離     292.46
Fナンバー      2.90
半画角         4.23
像高          21.64
レンズ全長   273.23
BF            63.67
∞     -0.16倍
d12            2.91       10.48
d15           17.66       10.09
入射瞳位置     301.22
射出瞳位置     -69.46
前側主点位置   -48.75
後側主点位置  -228.78
レンズ群データ
群  始面    焦点距離  レンズ構成長  前側主点位置  後側主点位置
1    1     112.19       140.87       122.13        -68.98
2   16     -47.10         5.40         2.77         -0.11
3   19     167.49        42.71        18.20        -15.09
単レンズデータ
レンズ  始面  焦点距離
1       1    211.24
2       3    127.46
3       5    -45.53
4       7    110.16
5       9    306.80
6      11   -343.79
7      13     75.30
8      16    -36.44
9      17    138.24
10      19     72.07
11      21     66.31
12      22    -36.30
13      24    -52.35
14      26     67.87
15      28     30.33
16      29    -35.54
【００６９】
［数値実施例１２］
単位 mm
面データ
面番号       r        d      nd         νd       有効径    θgF   ΔθgF
1        178.783   15.20   1.59270    35.3      135.31
2       1415.744  124.89                        134.26
3        108.327   15.15   1.43387    95.1       78.98   0.5373   0.0534
4       -192.136    0.15                         76.97
5       -197.207    3.00   1.85478    24.8       76.67
6         76.176    0.15                         71.84
7         73.738   12.64   1.43387    95.1       72.03   0.5373   0.0534
8       13386.147   11.63                        71.67
9         86.704    5.89   1.89286    20.4       68.81
10        159.733   33.10                         67.66
11         69.154    2.30   1.65412    39.7       49.89
12         45.945    1.53                         47.30
13         55.402    8.24   1.66672    48.3       47.22
14       2426.623    3.00                         45.60
15(絞り)    ∞     (可変)                         42.92
16        174.740    2.00   1.90366    31.3       40.00
17         37.347    4.13   1.49700    81.5       36.73
18         52.890  (可変)                         35.68
19         87.342    4.14   1.84666    23.8       31.49
20        403.419    1.07                         31.05
21         95.943    4.24   1.85478    24.8       32.55
22        -94.709    1.50   1.76385    48.5       32.10
23         38.328    6.23                         30.47
24        -80.394    1.50   1.76385    48.5       30.84
25        109.369    3.26                         32.09
26         72.385   12.53   1.67300    38.1       34.59
27        -32.147    1.70   1.59522    67.7       35.84
28       -300.120    0.15                         37.16
29        144.097    9.42   1.85478    24.8       37.64
30        -34.206    2.00   1.89286    20.4       37.67
31       1892.910   62.96                         37.94
像面        ∞
各種データ
焦点距離     392.56
Fナンバー      2.90
半画角         3.15
像高          21.64
レンズ全長   371.23
BF            62.96
∞     -0.15倍
d12            2.00       13.67
d15            15.51       3.84
入射瞳位置     626.88
射出瞳位置     -63.48
前側主点位置  -199.43
後側主点位置  -329.61
レンズ群データ
群  始面    焦点距離  レンズ構成長  前側主点位置  後側主点位置
1    1     156.52       236.90       265.60       -109.21
2   16     -66.00         6.13         3.14         -0.67
3   19     520.43        47.74        46.30         13.75
単レンズデータ
レンズ  始面  焦点距離
1       1    343.67
2       3    162.13
3       5    -63.96
4       7    170.85
5       9    204.61
6      11   -217.83
7      13     84.92
8      16    -52.93
9      17    234.98
10      19    130.88
11      21     56.34
12      22    -35.55
13      24    -60.45
14      26     34.75
15      27    -60.63
16      29     33.15
17      30    -37.61
【００７０】
［数値実施例１３］
単位 mm
面データ
面番号       r        d      nd         νd       有効径    θgF   ΔθgF
1        163.339   13.35   1.59270    35.3      120.06
2        943.811  144.80                        118.94
3        104.653   12.00   1.43387    95.1       61.40   0.5373   0.0534
4       -116.617    0.15                         59.82
5       -117.086    2.30   1.85478    24.8       59.62
6         80.844    0.15                         57.15
7         77.117   12.13   1.43387    95.1       57.26   0.5373   0.0534
8       -114.243    0.15                         57.03
9         95.689    3.57   1.89286    20.4       54.37
10        129.498    4.81                         53.26
11       -174.822    2.00   1.48749    70.2       53.26
12        146.631  (可変)                         51.87
13        107.088   10.02   1.64769    33.8       49.80
14        -72.534    2.20   1.58913    61.1       49.14
15      -4440.551  (可変)                         47.39
16(絞り)    ∞       8.01                         40.94
17        702.560    1.90   1.84666    23.8       36.97
18         47.597    7.46   1.61340    44.3       35.58
19       -126.474   19.15                         35.02
20        122.013    3.76   1.84666    23.8       26.80
21        -71.635    1.40   1.76385    48.5       26.39
22         34.538    6.95                         25.37
23        -64.820    1.40   1.76385    48.5       26.15
24         90.115    2.28                         27.35
25        139.671    9.08   1.73800    32.3       29.11
26        -21.978    1.70   1.76385    48.5       30.01
27       -232.122    0.96                         32.79
28         78.499    8.15   1.73800    32.3       34.89
29        -47.550    1.90   1.89286    20.4       35.24
30       -127.714   82.50                         35.96
像面        ∞
各種データ
焦点距離     488.82
Fナンバー      4.10
半画角         2.53
像高          21.64
レンズ全長   411.15
BF            82.50
∞      -0.14倍
d12            43.95       24.39
d15             2.95       22.51
入射瞳位置     760.74  
射出瞳位置     -70.30  
前側主点位置  -314.21  
後側主点位置  -406.33  
レンズ群データ
群  始面    焦点距離  レンズ構成長  前側主点位置  後側主点位置
1    1     680.35       195.41      -475.01       -383.69
2   13     143.84        12.22         0.85         -6.65
3   16    -147.89        74.11         8.88        -61.93
単レンズデータ
レンズ  始面  焦点距離
1       1    331.15
2       3    129.25
3       5    -55.65
4       7    108.19
5       9    391.00
6      11   -163.25
7      13     68.26
8      14   -125.19
9      17    -60.38
10      18     57.31
11      20     53.79
12      21    -30.33
13      23    -49.16
14      25     26.36
15      26    -31.89
16      28     41.26
17      29    -85.80
【００７１】
［数値実施例１４］
単位 mm
面データ
面番号       r        d      nd         νd       有効径    θgF   ΔθgF
1        168.552   14.91   1.59270    35.3      133.65
2        853.592  122.18                        132.49
3        148.612   11.95   1.43387    95.1       81.00   0.5373   0.0534
4       -254.303    0.15                         79.55
5       -257.480    3.20   1.85478    24.8       79.38
6        141.530    0.15                         76.27
7        127.364   12.78   1.43387    95.1       76.25   0.5373   0.0534
8       -174.232    0.15                         75.68
9        577.170    3.41   1.89286    20.4       72.87
10       4707.875    3.60                         72.09
11       -190.967    3.00   1.80400    46.6       72.07
12       1388.400  (可変)                         71.03
13        145.654    7.22   1.59551    39.2       58.51
14       -226.906    2.80   1.67790    55.3       57.84
15        984.208  (可変)                         56.57
16(絞り)    ∞      63.32                         45.47
17       -414.599    1.20   1.76385    48.5       20.91
18         29.784    4.80   1.54814    45.8       20.45
19       -119.234    2.00                         20.87
20         99.170    3.22   1.78472    25.7       25.23
21        -62.702    1.30   1.76385    48.5       25.08
22         48.094    3.54                         24.53
23        -80.964    1.30   1.76385    48.5       24.69
24        140.808    1.27                         25.34
25         57.182   13.30   1.67300    38.1       24.00
26        -35.514    1.30   1.59522    67.7       25.49
27         74.378   17.60                         26.08
28        112.883    7.02   1.65412    39.7       33.62
29        -43.326    1.70   1.89286    20.4       33.92
30        -99.977   84.94                         34.71
像面        ∞
各種データ
焦点距離     778.70
Fナンバー      5.83
半画角         1.59
像高          21.64
レンズ全長   485.28
BF            84.94
∞      -0.14倍
d12            88.70       58.25
d15             3.28       33.73
入射瞳位置     834.02
射出瞳位置    -132.06
前側主点位置  -1181.64 
後側主点位置  -693.76
レンズ群データ
群  始面    焦点距離  レンズ構成長  前側主点位置  後側主点位置
1    1     553.60       175.48      -202.95       -262.39
2   13     326.76        10.02        -1.93         -8.08
3   16    -148.91       122.87        30.61       -106.67
単レンズデータ
レンズ  始面  焦点距離
1       1    351.50
2       3    218.15
3       5   -106.45
4       7    171.79
5       9    736.46
6      11   -208.62
7      13    150.05
8      14   -271.75
9      17    -36.34
10      18     43.98
11      20     49.38
12      21    -35.45
13      23    -67.13
14      25     34.55
15      26    -40.21
16      28     48.73
17      29    -86.87
【００７２】
【表１】
2018018101.tif 000003
【００７３】
【表２】
2018018101.tif 000004
【００７４】
次に、本発明の光学系を撮像光学系として用いたデジタルスチルカメラ（撮像装置）の実施例について、図２９を用いて説明する。図２９において、１０はカメラ本体、１１は実施例１乃至１４で説明したいずれかの光学系によって構成された撮影光学系である。１２はカメラ本体に内蔵され、撮影光学系１１によって形成された被写体像を受光するＣＣＤセンサやＣＭＯＳセンサ等の固体撮像素子（光電変換素子）である。
【００７５】
このように本発明の光学系をデジタルスチルカメラ等の撮像装置に適用することにより、軽量であり、かつ色収差等の収差が良好に補正された撮像装置を得ることができる。
【符号の説明】
【００７６】
Ｂ１  第１レンズ群
Ｂ２  第２レンズ群
Ｂ３  第３レンズ群
ＳＰ  開口絞り
【図１】
2018018101.tif 000005
【図２】
2018018101.tif 000006
【図３】
2018018101.tif 000007
【図４】
2018018101.tif 000008
【図５】
2018018101.tif 000009
【図６】
2018018101.tif 000010
【図７】
2018018101.tif 000011
【図８】
2018018101.tif 000012
【図９】
2018018101.tif 000013
【図１０】
2018018101.tif 000014
【図１１】
2018018101.tif 000015
【図１２】
2018018101.tif 000016
【図１３】
2018018101.tif 000017
【図１４】
2018018101.tif 000018
【図１５】
2018018101.tif 000019
【図１６】
2018018101.tif 000020
【図１７】
2018018101.tif 000021
【図１８】
2018018101.tif 000022
【図１９】
2018018101.tif 000023
【図２０】
2018018101.tif 000024
【図２１】
2018018101.tif 000025
【図２２】
2018018101.tif 000026
【図２３】
2018018101.tif 000027
【図２４】
2018018101.tif 000028
【図２５】
2018018101.tif 000029
【図２６】
2018018101.tif 000030
【図２７】
2018018101.tif 000031
【図２８】
2018018101.tif 000032
【図２９】
2018018101.tif 000033